【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
複数の走査線と複数のデータ線との交差に対応して画素と、低階調表示及び高階調表示への変化に要する応答と比較して、中間階調表示への応答が遅い電気光学物質と、を備える電気光学装置であって、
各画素は、第１のサブ画素と第２のサブ画素とを一組としてそれぞれ構成され、
前記第１のサブ画素は、第１の画素電極と、当該第１の画素電極に対向して設けられた共通電極と、前記走査線から供給される選択電圧に応じて、前記データ線と前記第１の画素電極とを電気的に接続する第１のスイッチング素子と、を備え、
前記第２のサブ画素は、第２の画素電極と、当該第２の画素電極に対向して設けられた前記共通電極と、前記第１の画素電極と前記第２の画素電極とに接続される第２のスイッチング素子と、前記共通電極と前記第２の画素電極に接続される第３のスイッチング素子と、を備え、
前記第２のスイッチング素子と前記第３のスイッチング素子とには、それぞれオン状態とオフ状態とが切り換えられる制御線が共通して接続されていることを特徴とする電気光学装置。
【請求項２】
請求項１に記載の電気光学装置において、
外部から供給された画像データの階調値を検出する階調値検出手段と、
前記階調値検出手段により検出された階調値が中間階調とみなし得る所定の範囲内に入っているかどうかを判断する判断手段と、
前記複数の走査線を所定の順番で選択するための前記選択電圧を生成し、前記走査線に供給する走査線駆動回路と、
前記判断手段による判断結果に基づいて、前記画像データから所定の画像信号を生成し、生成した前記画像信号を前記データ線に供給するデータ線駆動回路と、
前記判断手段において、階調値が中間階調とみなし得る所定の範囲内に入っていると判断された場合には、１水平走査期間内で、前記第２のスイッチング素子をオフ状態とし、前記第３のスイッチング素子をオン状態とし、前記判断手段において、階調値が中間階調とみなし得る所定の範囲内に入っていないと判断された場合には、１水平走査期間内で、前記第２のスイッチング素子をオン状態とし、前記第３のスイッチング素子をオフ状態とする信号を前記制御線に供給する切換手段と、を備えることを特徴とする電気光学装置。
【請求項３】
請求項２に記載の電気光学装置において、
前記切換手段により前記第２のスイッチング素子がオフ状態で、かつ、前記第３のスイッチング素子がオン状態である場合、前記第１のサブ画素及び前記第２のサブ画素により構成される画素全体で、中間階調表示が行われるように、前記第１の画素電極は、前記データ線を介して、前記データ線駆動回路から前記画像信号に応じた電圧が供給され、前記第２の画素電極は、前記共通電極と同電位とされ、
前記切換手段により前記第２のスイッチング素子がオン状態で、かつ、前記第３のスイッチング素子がオフ状態である場合、前記第１の画素電極および前記第２の画素電極は、前記データ線を介して、前記データ線駆動回路から前記画像信号に応じた同じ電圧が供給されることを特徴とする電気光学装置。
【請求項４】
請求項１乃至３のいずれか１項に記載の電気光学装置において、
前記第２のスイッチング素子および前記第３のスイッチング素子のいずれか一方は、Ｎチャネルトランジスタで構成され、他方は、Ｐチャネルトランジスタで構成されることを特徴とする電気光学装置。
【請求項５】
請求項１乃至４のいずれか１項に記載の電気光学装置を備えたことを特徴とする電子機器。
【手続補正２】
【補正対象書類名】明細書
【補正対象項目名】００１３
【補正方法】変更
【補正の内容】
【００１３】
本発明の電気光学装置は、複数の走査線と複数のデータ線との交差に対応して画素と、低階調表示及び高階調表示への変化に要する応答と比較して、中間階調表示への応答が遅い電気光学物質と、を備える電気光学装置であって、各画素は、第１のサブ画素と第２のサブ画素とを一組としてそれぞれ構成され、前記第１のサブ画素は、第１の画素電極と、当該第１の画素電極に対向して設けられた共通電極と、前記走査線から供給される選択電圧に応じて、前記データ線と前記第１の画素電極とを電気的に接続する第１のスイッチング素子と、を備え、前記第２のサブ画素は、第２の画素電極と、当該第２の画素電極に対向して設けられた前記共通電極と、前記第１の画素電極と前記第２の画素電極とに接続される第２のスイッチング素子と、前記共通電極と前記第２の画素電極に接続される第３のスイッチング素子と、を備え、前記第２のスイッチング素子と前記第３のスイッチング素子とには、それぞれオン状態とオフ状態とが切り換えられる制御線が共通して接続されていることを特徴とする。
【手続補正３】
【補正対象書類名】明細書
【補正対象項目名】００１５
【補正方法】変更
【補正の内容】
【００１５】
また、上述の電気光学装置では、外部から供給された画像データの階調値を検出する階調値検出手段と、前記階調値検出手段により検出された階調値が中間階調とみなし得る所定の範囲内に入っているかどうかを判断する判断手段と、前記複数の走査線を所定の順番で選択するための前記選択電圧を生成し、前記走査線に供給する走査線駆動回路と、前記判断手段による判断結果に基づいて、前記画像データから所定の画像信号を生成し、生成した前記画像信号を前記データ線に供給するデータ線駆動回路と、前記判断手段において、階調値が中間階調とみなし得る所定の範囲内に入っていると判断された場合には、１水平走査期間内で、前記第２のスイッチング素子をオフ状態とし、前記第３のスイッチング素子をオン状態とし、前記判断手段において、階調値が中間階調とみなし得る所定の範囲内に入っていないと判断された場合には、１水平走査期間内で、前記第２のスイッチング素子をオン状態とし、前記第３のスイッチング素子をオフ状態とする信号を前記制御線に供給する切換手段と、を備えることが好ましい。
【手続補正４】
【補正対象書類名】明細書
【補正対象項目名】００１６
【補正方法】変更
【補正の内容】
【００１６】
本発明では、１フレーム前の階調値が中間階調とみなし得る所定の範囲内に入っていると判断された場合には、一組のサブ画素により構成される画素全体で、中間階調表示が行われるように、データ線に供給される画像信号を変調し、データ線に供給する。そして、切換手段が、制御線を介して、１水平走査期間内で、第２のスイッチング素子をオフ状態とし、第３のスイッチング素子をオン状態する。また、１フレーム前の階調値が中間階調とみなし得る所定の範囲内に入っていないと判断された場合には、切換手段が、制御線を介して、１水平走査期間内で、第２のスイッチング素子をオン状態とし、第３のスイッチング素子をオフ状態とする。したがって、本発明では、オーバードライブ処理を行わずに、面積階調により応答速度の改善を図ることができるので、オーバードライブ処理を行うために必要であったメモリを不要とし、装置全体を縮小化でき、コストを低廉にすることができる。また、本発明によれば、オーバードライブ処理に必要であった電力を省くことができる。
【手続補正５】
【補正対象書類名】明細書
【補正対象項目名】００１７
【補正方法】変更
【補正の内容】
【００１７】
また、上述の電気光学装置では前記切換手段により前記第２のスイッチング素子がオフ状態で、かつ、前記第３のスイッチング素子がオン状態である場合、前記第１のサブ画素及び前記第２のサブ画素により構成される画素全体で、中間階調表示が行われるように、前記第１の画素電極は、前記データ線を介して、前記データ線駆動回路から前記画像信号に応じた電圧が供給され、前記第２の画素電極は、前記共通電極と同電位とされ、前記切換手段により前記第２のスイッチング素子がオン状態で、かつ、前記第３のスイッチング素子がオフ状態である場合、前記第１の画素電極および前記第２の画素電極は、前記データ線を介して、前記データ線駆動回路から前記画像信号に応じた同じ電圧が供給されることが好ましい。
【手続補正６】
【補正対象書類名】明細書
【補正対象項目名】００１８
【補正方法】変更
【補正の内容】
【００１８】
本発明では、切換手段により第２のスイッチング素子がオフ状態で、かつ、第３のスイッチング素子がオン状態である場合、第１のサブ画素及び第２のサブ画素により構成される画素全体で、中間階調表示が行われるように、第１の画素電極に、データ線を介して、データ線駆動回路から画像信号に応じた電圧が供給し、前記第２の画素電極に、前記共通電極と同電位とする。また、切換手段により第２のスイッチング素子がオン状態で、かつ、第３のスイッチング素子がオフ状態である場合、第１の画素電極及び第２の画素電極に、データ線を介して、データ線駆動回路から画像信号に応じた同じ電圧が供給する。したがって、第１のサブ画素と第２のサブ画素とにより１画素全体の階調を表現する構成であるため、オーバードライブ処理を行うことなく中間階調の表現を行うことができ、オーバードライブ処理を不要となり、オーバードライブ処理を行うために必要であったメモリを不要とするので、装置全体を縮小化でき、コストを低廉にすることができ、液晶の応答速度を改善することもできる。また、本発明によれば、オーバードライブ処理に必要であった電力を省くことができる。
【手続補正７】
【補正対象書類名】明細書
【補正対象項目名】００１９
【補正方法】変更
【補正の内容】
【００１９】
また、上述の電気光学装置では、前記第２のスイッチング素子および前記第３のスイッチング素子のいずれか一方は、Ｎチャネルトランジスタで構成され、他方は、Ｐチャネルトランジスタで構成されることが好ましい。
【手続補正８】
【補正対象書類名】明細書
【補正対象項目名】００２０
【補正方法】変更
【補正の内容】
【００２０】
本発明では、前記第２のスイッチング素子および前記第３のスイッチング素子のいずれか一方は、Ｎチャネルトランジスタで構成され、他方は、Ｐチャネルトランジスタで構成される。従って、第２のスイッチング素子をオフ状態でかつ第３のスイッチング素子をオン状態と、第２のスイッチング素子をオン状態でかつ第３のスイッチング素子をオフ状態とを容易に切り換えることができるので、第１の画素電極に画像信号に応じた電圧が供給でき、第２の画素電極は共通電極と同電位とすることができ、１フレーム前の階調値が中間階調とみなし得る所定の範囲内に入っていないと判断された場合には、第１の画素電極と第２の画素電極に画像信号に応じた同じ電圧が供給することができる。したがって、本発明では、オーバードライブ処理を行わずに、面積階調により応答速度の改善を図ることができるので、オーバードライブ処理を行うために必要であったメモリを不要とし、装置全体を縮小化でき、コストを低廉にすることができる。また、本発明によれば、オーバードライブ処理に必要であった電力を省くことができる。